(57)【要約】【課題】低コストで製造でき、さまざまな場所にインデックスを形成可能であって、使用時にインデックスを形成する箇所を使用者が選択可能なホルダを提供する。【解決手段】ホルダ１は、一枚の四角形状のメインシートを山折り線７により分けられた第１保持部３と第２保持部５とからなる。第２保持部５は、下辺にのりしろ片９を有し、右部に、第１切れ目１１と折り目１３と第１舌片１７とからなるインデックス片１５が、第２保持部５の内部に設けられる。インデックス片１５は、第２保持部５の右部に複数設けられる。【選択図】図１
2010094865.tif 000002
【特許請求の範囲】
【請求項１】
書類等を収納するホルダであって、メインシートの中間部に山折り線が形成されて、第１保持部と第２保持部とが形成されており、
前記第２保持部の右部と、前記第１保持部の左部と、前記第２保持部の上部と、前記第１保持部の上部とのいずれか１以上の部分に
折り目を残して、第１舌片を有するインデックス片の形状に第１切れ目が設けられており、
前記第１切れ目に沿って切り取り、前記折り目に沿って折ることで、前記インデックス片が前記第１保持部または前記第２保持部より突出し、
前記第１舌片は、前記第１保持部と前記第２保持部を折り重ねた際に、前記第１保持部または前記第２保持部に係合可能である
ことを特徴とするホルダ。
【請求項２】
前記メインシートを前記山折り線に沿って二つ折りにし、前記第１保持部の下辺と前記第２保持部の下辺とを接合し、
前記第１舌片が、前記第１保持部または前記第２保持部に係合可能である
ことを特徴とする請求項１に記載のホルダ。
【請求項３】
前記インデックス片が、複数設けられていることを特徴とする請求項１または請求項２に記載のホルダ。
【請求項４】
前記インデックス片において、前記第１切れ目の端部または前記第１舌片の端部が、丸みを帯びていることを特徴とする請求項１ないし請求項３に記載のホルダ。
【請求項５】
前記第１保持部の下部に、第２切れ目が設けられ、
前記第２保持部の下辺に、第２舌片を有する下押さえ片が設けられており、
前記第２舌片は、前記第２切れ目に係合可能である
ことを特徴とする請求項１ないし請求項４に記載のホルダ。
【請求項６】
前記第１保持部の下辺の全体に、第１切り欠け部を有することを特徴とする請求項５に記載のホルダ。
【請求項７】
紙製であることを特徴とする請求項１ないし請求項６に記載のホルダ。
【発明の詳細な説明】
【技術分野】
【０００１】
本発明は、二つ折りにしたシートの間に書類等を挟んで収納できるようにしたホルダに関するものである。
【背景技術】
【０００２】
従来、この種のホルダとしては、プラスチックシートを中心線に沿って二つ折りにし、二つ折りにしたプラスチックシートを折り目に連なる一方の縁に沿って互いに接合したものが使用されていた（例えば、特許文献１参照）。
【０００３】
また、書類の整理に便利なように、ホルダの縁に突出するインデックスが設けられることがあった。
【０００４】
また、近年の地球環境保護意識の高まりから、プラスチックシートの代わりに、紙製のシートを使用することが考えられている。
【０００５】
【特許文献１】特開２０００−２３３５８８号公報
【発明の開示】
【発明が解決しようとする課題】
【０００６】
しかしながら、ホルダの縁に突出したインデックスを、シートの切り出し段階から設けると、インデックスが突出している分、ホルダの材料に無駄が生じる。また、インデックスの場所が固定されるため、決まった位置にしかインデックスを設けることができないという問題点があった。
【０００７】
本発明は、前述した問題点に鑑みてなされたもので、その目的とすることは、低コストで製造でき、さまざまな場所にインデックスを形成可能であって、使用時にインデックスを形成する箇所を使用者が選択可能なホルダを提供することである。
【課題を解決するための手段】
【０００８】
前述した目的を達成するために、第１の発明は、書類等を収納するホルダであって、メインシートの中間部に山折り線が形成されて、第１保持部と第２保持部とが形成されており、前記第２保持部の右部と、前記第１保持部の左部と、前記第２保持部の上部と、前記第１保持部の上部とのいずれか１以上の部分に折り目を残して、第１舌片を有するインデックス片の形状に第１切れ目が設けられており、前記第１切れ目に沿って切り取り、前記折り目に沿って折ることで、前記インデックス片が前記第１保持部または前記第２保持部より突出し、前記第１舌片は、前記第１保持部と前記第２保持部を折り重ねた際に、前記第１保持部または前記第２保持部に係合可能であることを特徴とするホルダである。
【０００９】
また、前記メインシートを前記山折り線に沿って二つ折りにし、前記第１保持部の下辺と前記第２保持部の下辺とを接合し、前記第１舌片が、前記第１保持部または前記第２保持部に係合可能であることが望ましい。接合とは、接着剤などによって接着すること、舌片などによって係合することの両方を含む。
【００１０】
さらに、前記インデックス片が、複数設けられていることが望ましく、前記インデックス片において、前記第１切れ目の端部または前記第１舌片の端部が、丸みを帯びていることが望ましい。
【００１１】
前記第１保持部の下部に、第２切れ目が設けられ、前記第２保持部の下辺に、第２舌片を有する下押さえ片が設けられており、前記第２舌片は、前記第２切れ目に係合可能であることが望ましく、前記第１保持部の下辺の全体に、第１切り欠け部を有することが望ましい。
【００１２】
さらに、前記ホルダは紙製であることが望ましい。
【発明の効果】
【００１３】
本発明により、低コストで製造でき、さまざまな場所にインデックスを形成可能であって、使用時にインデックスを形成する箇所を使用者が選択可能なホルダを提供することができる。
【発明を実施するための最良の形態】
【００１４】
以下図面に基づいて、本発明の実施形態を詳細に説明する。
図１は、第１の実施形態に係る組立て前のホルダ１を示す図である。図１、図２、図７、図８、図９において、実線部分は切断加工を行う線であり、点線部は筋押し加工を行う線である。図１（ａ）に示すように、ホルダ１は、一枚の四角形状のメインシートを山折り線７により分けられた第１保持部３と第２保持部５とからなる。第２保持部５は、下辺にのりしろ片９を有し、右部に、第１切れ目１１と折り目１３と第１舌片１７とからなるインデックス片１５が、第２保持部５の内部に設けられる。
【００１５】
第１保持部３は山折り線７の左側のメインシートを指し、第２保持部５は山折り線７の右側のメインシートを指す。
【００１６】
山折り線７は、第１保持部３と第２保持部５の境界に設けられており、筋押し加工されている。
【００１７】
のりしろ片９は、第２保持部５の下辺に突出して設けられている台形状の片である。
【００１８】
図１（ｂ）に示すように、インデックス片１５は、第２保持部５の右部に、第１切れ目１１と折り目１３により形成され、内部に第１舌片１７の切れ目も有する。インデックス片１５は、第２保持部５の内部に設けられる。第１切れ目１１の端部は、第２保持部に対して丸みを帯びており、折り目１３での折りを繰り返しても、インデックス片１５との接続部が破れないようになっている。また、折り目１３は、第２保持部５と第１舌片１７の中間地点に設けられる。さらに、折り目１３の一部を切断加工し、インデックス片１５を折り曲げやすくしている。
【００１９】
インデックス片１５は、略四角形状であり、第２保持部５の右部に、左に凸に設けられ、第２保持部５より突出可能であり、突出した部分の角は丸くなっている。インデックス片１５ａないしインデックス片１５ｅとして、複数設けられる。
【００２０】
第１舌片１７は、略四角形状であり、インデックス片１５内に右に凸に設けられ、インデックス片１５より突出可能であり、突出した部分の角は丸くなっている。
【００２１】
ホルダ１を構成する材料は、特に限定されず、プラスチックや紙などを用いることができるが、環境保護の点から、紙製にすることが好ましい。
【００２２】
次に、ホルダ１の組立て方法について説明する。図２は、第１の実施形態に係る組立て後のホルダ１を示す図である。中央に山折り線７を有する一枚のシートであるホルダ１を山折り線７で折り、第１保持部３を第２保持部５の下に折り重ねる。次に、のりしろ片９を第１保持部３に折り重ね、のりしろ片９と第１保持部３の間をのりや接着剤で接着し、第１保持部３と第２保持部５とを綴じる。第１保持部３と第２保持部５との間に書類などをはさむことができる。
【００２３】
図３は、第１の実施形態に係るインデックス片１５ａの第１の使用例を示す図である。また、図４は、第１の実施形態に係るインデックス片１５ａの第１の使用例における折り曲げ方を説明する図である。図４（ａ）に示すように、インデックス片１５ａは、第１切れ目１１と折り目１３とで形成され、第１舌片１７の切れ目を内部に有する。図４（ｂ）〜（ｃ）に示すように、インデックス片１５ａを、第１切れ目１１に沿って第２保持部５より切り離し、折り目１３を軸にして折曲げ、第２保持部５の裏側に折り重ねる。図４（ｄ）に示すように、第１舌片１７を第２保持部５の右辺に係合させ、インデックス片１５ａが第２保持部５より離れないようにしている。
【００２４】
図５は、第１の実施形態に係るインデックス片１５ａの第２の使用例を示す図である。インデックス片１５ａは、第１の使用例とは異なり、第２保持部５の手前側に折り曲げられている。また、第１舌片１７は、第２保持部５に係合し、インデックス片１５ａが第２保持部５より離れないようにしている。
【００２５】
図６は、第１の実施形態に係るインデックス片１５ａの第３の使用例を示す図である。インデックス片１５ａは、第１の使用例と同様に、第２保持部５の奥側に折り曲げられている。しかし、第１の使用例とは異なり、第１保持部３に係合し、第１保持部３と第２保持部５を綴じている。第３の使用例においては、第１保持部３と第２保持部５とは、のりしろ片９だけでなく、インデックス片１５ａによっても接合されるため、ホルダ１の３辺が閉じられ、別な書類が紛れ込むこともなく、書類の保管が容易となる。
【００２６】
また、第１の実施形態においては、インデックス片１５を第２保持部５の右側に複数有するため、一番上のインデックス片１５ａではなく、インデックス片１５ｂないしインデックス片１５ｅを、第１の使用例ないし第３の使用例のように実施してもよい。インデックス片１５の突出する位置を変化させることで、ホルダ１による書類の管理が便利になる。さらに、折り曲げたインデックス片１５を、使用後に折り戻すことも可能である。
【００２７】
また、図７に示すように、インデックス片１５を第１保持部３にも設けてもよいし、図８に示すように、インデックス片１５を第２保持部５の上部に設けてもよい。更には、インデックス片１５を第１保持部３の上部にも設けてもよく、つまり、インデックス片１５は、設けたい場所に応じて、ホルダ１の下部以外の周辺のどこにでも設けることができる。
【００２８】
第１の実施形態によれば、インデックス片１５を、メインシートから突出していない状態でホルダ１を製造可能なので、メインシートの材料を節約できる。
【００２９】
また、第１の実施形態によれば、突出自在なインデックス片を複数有するため、インデックス片の突出を選択することで、複数のホルダをインデックス片の突出状況で識別することができる。
【００３０】
また、第１の実施形態によれば、インデックス片１５を第１舌片１７で第２保持部５に係合するため、折ったインデックス片１５が第２保持部に戻ることはない。
【００３１】
また、第１の実施形態によれば、インデックス片１５を第１舌片１７で第１保持部３に係合すると、ホルダ１は３辺で綴じられ、収納した書類がホルダ１からこぼれにくく、また他の書類が混ざりにくくなる。
【００３２】
次に、第２の実施形態について説明する。
図９は、第２の実施形態に係る組立て前のホルダ２を示す図である。以下の実施形態で第１の実施形態に係るホルダ１と同一の様態を果たす要素には同一の番号を付し、重複した説明は避ける。ホルダ２において、第１保持部３は、下部に第２切れ目２３を有し、下辺に切り欠け部２５を有する。また、第２保持部５は、下辺に下押さえ片１９を有する。
【００３３】
第２切れ目２３は、第１保持部３の下部に、第１保持部３の下辺と平行に切断加工されている。
【００３４】
切り欠け部２５は、第１保持部３の下辺に台形状に設けられており、第１保持部３の下辺全体にわたっている。切り欠け部２５により、第１保持部３と第２保持部５を折り重ねた際に、下押さえ片１９を折り曲げやすくなる。
【００３５】
下押さえ片１９は、第２保持部５の下辺に突出して設けられており、角が曲線の台形状の片である。第２舌片２１は、下押さえ片１９の一部を切断加工して設けられている。
【００３６】
第２舌片２１は、図９では、上に凸に設けられており、第１保持部３と第２保持部５とを折り重ねて下押さえ片１９を折った際に、第２舌片２１は下に凸になり、第２切れ目２３と係合する。
【００３７】
次に、ホルダ２の組立て方法について説明する。ホルダ２は、図９に示すように中央に山折り線７を有する一枚のシートである。ホルダ２を山折り線７で折り、第１保持部３を第２保持部５の下に折り重ねる。次に、下押さえ片１９を第１保持部３の上に折り重ね、第２舌片２１を第２切れ目２３に係合させて組み立てる。
【００３８】
第２の実施形態によれば、第１の実施形態により得られた効果に加えて、のりや接着剤などを用いずに第１保持部３と第２保持部５とを綴じることができる。
【実施例】
【００３９】
以下、本発明について実施例を用いて具体的に説明する。
［実施例１］
（ホルダ１の作製）
図１に示すホルダ１を、白板紙より以下のサイズで切り出す。
1)ホルダ１(メインシート)のサイズ
・高さ：310mm(のりしろ片９(高さ20mm)を除く)
・幅：440mm
2)第１切れ目１１のサイズ
・第１舌片１７に平行な辺：40mm
・第１舌片１７に垂直な辺：27mm
・折り目１３と第２保持部５の右辺との距離：15mm
3)第１舌辺のサイズ
・第１切れ目に平行な辺：17mm
・第１切れ目に平行でない辺：2mm
・インデックス片の折り目１３と第1舌片１７との距離：15mm
【００４０】
［実施例２］
（ホルダ２の作製）
図９に示すホルダ２を、実施例１と同様の方法で、以下のサイズで切り出す。
1)ホルダ２(メインシート)のサイズ
・高さ：310mm（下押さえ片１９(高さ45mm)を除く）
・幅：440mm
2)第１切れ目１１のサイズ
・第１舌片１７に平行な辺：40mm
・第１舌片１７に垂直な辺：27mm
・折り目１３と第２保持部５の右辺との距離：15mm
3)第１舌辺１７のサイズ
・折り目１３に平行な辺：17mm
・折り目１３に平行でない辺：2mm
・折り目１３と第１舌片１７との距離：15mm
4)第２切れ目２３のサイズ
・幅：45mm
・切り欠け部２５からの距離：19mm
5)第２舌片２１のサイズ
・下押さえ片１９の折り曲げ部に平行な辺：40mm
・下押さえ片１９の折り曲げ部に平行でない辺(高さ)：12.5mm
・第２舌片２１の上端と下押さえ片１９の折り曲げ部との距離：14mm
6)切り欠け部２５のサイズ
・深さ(高さ)：3mm
【００４１】
以上、添付図面を参照しながら、本発明にかかるホルダの好適な実施形態について説明したが、本発明は係る例に限定されない。当業者であれば、本願で開示した技術的思想の範疇内において、各種の変更例または修正例に想到しえることは明らかであり、それらについても当然に本発明の技術的範囲に属するものと了解される。
【図面の簡単な説明】
【００４２】
【図１】第１の実施形態に係る組立て前のホルダ１を示す図。
【図２】第１の実施形態に係る組立て後のホルダ１を示す図。
【図３】第１の実施形態に係るインデックス片１５ａの第１の使用例を示す図。
【図４】第１の実施形態に係るインデックス片１５ａの第１の使用例における折り曲げ方を説明する図。
【図５】第１の実施形態に係るインデックス片１５ａの第２の使用例を示す図。
【図６】第１の実施形態に係るインデックス片１５ａの第３の使用例を示す図。
【図７】第１の実施形態のインデックス片１５の別の配置例を示す図。
【図８】第１の実施形態のインデックス片１５の別の配置例を示す図。
【図９】第２の実施形態に係る組立て前のホルダ２を示す図。
【符号の説明】
【００４３】
１………ホルダ
３………第１保持部
５………第２保持部
７………山折り線
９………のりしろ片
１１………第１切れ目
１３………折り目
１５………インデックス片
１７………第１舌片
１９………下押さえ片
２１………第２舌片
２３………第２切れ目
２５………切り欠け部
【図１】
2010094865.tif 000003
【図２】
2010094865.tif 000004
【図３】
2010094865.tif 000005
【図４】
2010094865.tif 000006
【図５】
2010094865.tif 000007
【図６】
2010094865.tif 000008
【図７】
2010094865.tif 000009
【図８】
2010094865.tif 000010
【図９】
2010094865.tif 000011